(57)【要約】【課題】簡単な構造でかつ安価に、ケース本体に対する蓋体の固定を解除したときに、蓋体が不用意に開放されるのを防止する。【解決手段】被固定部１２Ａ，１２Ｂ（又は１２Ｃ，１２Ｄ）と固定部１３Ａ，１３Ｂ（又は１３Ｃ，１３Ｄ）を連結しているボルト部材１４を緩め、それらの固定を解除すると、ヒンジ金具１５の本体部１５ｂ−１の外側縁に蓋体５の外周縁部５ａが接触して、前記所定角度θを超えての蓋体５の開放が規制される。蓋体５をさらに開放する場合には、ヒンジ金具１５の長孔１５ｃに沿って係合ピン部１３ａを、先端部１５ｂ−２側に移動させる。長孔１５ｃの端部に係合ピン部１３ａが達すると、先端部１５ｂの円弧状の外周縁に沿って蓋体の外周縁部５ａが移動可能となり、係合ピン部１３ａを回転軸として、さらに開放することができる。係合ピン部１３ａが長孔１５ｃの端部に達したときには、係合ピン部１３ａは、先端部１５ｂの外周縁が形成する円弧の中心に位置する。【選択図】        図１０
2005012066.tif 000002
【特許請求の範囲】
【請求項１】
左右外側面部に入力接栓又は出力接栓がそれぞれ設けられ、前面が開口された箱状のケース本体と、その前面を開閉可能に覆う蓋体とを備え、前記ケース本体の上下左右両側部又は上下中央部に被取付部が形成され、前記被取付部のうち下側に位置する被取付部に対し蓋体の取付部が、蓋体を上開き可能なるように取り付けられ、前記被取付部及び取付部は前記蓋体に対し前記ケース本体を上下逆に取付可能なるように対称に設けられている電子機器用ケースのヒンジ構造において、
前記被取付部と取付部とはヒンジ部材を介して取り付けられる構成とされ、
前記ヒンジ部材が、前記被取付部に取り付けられる取付基部と、この取付基部の一端部より直交する方向に延びる支持部とを有し、この支持部が、取付基部に連接され長孔を有する本体部と、この本体部に連接され半円板形状の先端部とで構成され、
前記本体部の長孔にスライド可能に挿通される係合ピン部が前記取付部に形成され、
前記係合ピン部は、前記長孔内において、蓋体の外周縁部が前記本体部に接触して蓋体の開放が規制される位置と、蓋体の外周縁部が前記先端部の外周縁に沿って移動可能となり蓋体の開放を許容する位置とを選択的に取りうることを特徴とする電子機器用ケースのヒンジ構造。
【請求項２】
前記ケース本体の被取付部には長孔が形成されると共に、外方に突出する係止部が先端に形成され、
前記ケース本体の被取付部のうち上側に位置する被取付部に前記長孔を通じて締結部材にてメッセンジャーワイヤ取付具が傾斜可能に取り付けられ、このメッセンジャーワイヤ取付具の先端係止部と被取付部の係止部とによってそれらの間にメッセンジャーワイヤを係止可能である構成とされる請求項１記載の電子機器用ケースのヒンジ構造。
【請求項３】
前記ケース本体の被取付部のうち上側に位置する被取付部にメッセンジャーワイヤ取付具が設けられ、
前記メッセンジャーワイヤ取付具は、前記被取付部に設けられる断面Ｌ字形状の第１の部材と、この第１の部材の水平部に締結部材にて取付部が取り付けられ前記第１の部材との間にメッセンジャーワイヤを挟んで固定する第２の部材とを有し、
この第２の部材は、さらに、前記取付部の一側に前記第１の部材の端縁に引っ掛かって係止される係止部と、取付部の他側に連接され前記第１の部材との間にメッセンジャーワイヤを挟む挟持部とを有する請求項１に記載の電子機器用ケースのヒンジ構造。
【発明の詳細な説明】
【０００１】
【発明の属する技術分野】
この発明は、ＣＡＴＶアンプなどを収納する電子機器用ケースのヒンジ構造に関する。
【０００２】
【従来の技術】
一般に、ＣＡＴＶアンプ用ダイカストケース（電子機器用ケース）は、左右外側面部をそれぞれ入力接栓又は出力接栓が設けられ前面が開口された箱状のケース本体と、その前面を開閉可能に覆う蓋体とを備える。そのようなダイカストケースは、メッセンジャーワイヤに取り付けた状態で、蓋体が上開き可能なるように、前記ケース本体の上下左右両側部に取付座（被取付部）が形成され、前記被取付部のうち下側に位置する被取付部に対し蓋体の取付座（取付部）を回転可能に取り付けている（例えば特許文献１参照）。また、現場でＣＡＴＶアンプを設定する際に、取付場所によってケースへの入力側が左側であったり右であったりして、左右で異なる場合がある。そのような場合に、設備の入力側及び出力側に応じて入力接栓又は出力接栓の向きを変更するために、ケース本体を前記蓋体に対し上下逆に取付可能なるように前記被取付部及び取付部は対称に設けられている。
【０００３】
そして、ケース本体の取付座にはピンを介してナットが揺動可能に連結され、このナットに締付ボルトが螺合され、締付ボルトのネジ部は途中のネジを削り取ってあり、締付ボルトを一定量緩めると、ネジ部がナットの雌ねじ部から外れて締付ボルトが空回りし、それ以上締付ボルトを緩められないようにしている。一方、蓋に形成された取付座は、上方あるいは下方に開放され締付ボルトの径よりも幅が広い溝型に形成され、蓋を閉じ、締付ボルトを一定量螺緩させた状態で締付ボルトを揺動させることにより締付ボルトをボルト挿通孔に出し入れできるように構成され、蓋が不用意に開放されるのを防止するようになっている。そして、締付ボルトをボルト挿通孔に挿入した状態で締め付けることにより、蓋がケース本体に固定されるようになっている。なお、このようなケースにおいて蓋が不用意に開放されるのを防止するのは、このようなケースはメッセンジャーワイヤに吊り下げて使用されており、蓋を開放して、ケース内に収容された電子機器の調整等を行う点検作業や修理作業は、高所での作業となるため、蓋が開放（全開）して、作業者に当たったりすると大変危険であるからである。
【０００４】
【特許文献１】
実開平３−８１６８１号公報（図１〜図４）
【０００５】
【発明が解決しようとする課題】
このように、前記特許文献１の記載の技術では、ケース本体に対して蓋体を開閉するためのヒンジ構造が複雑であり、ヒンジ構造とは別に、ケース本体に対する蓋の固定を解除したときに、蓋が不用意に開放されるのを防止する機構を設けているため、この点からも構造が複雑になり、コストダウンを図る上で不利である。
【０００６】
この発明は、特定形状のヒンジ部材を用いることで、ケース本体に対する蓋体の固定を解除したときに、簡単な構造でかつ安価に、蓋体が不用意に開放されるのを防止できる電子機器用ケースのヒンジ構造を提供することを目的とする。
【０００７】
【課題を解決するための手段】
請求項１の発明は、左右外側面部に入力接栓又は出力接栓がそれぞれ設けられ、前面が開口された箱状のケース本体と、その前面を開閉可能に覆う蓋体とを備え、前記ケース本体の上下左右両側部又は上下中央部に被取付部が形成され、前記被取付部のうち下側に位置する被取付部に対し蓋体の取付部が、蓋体を上開き可能なるように取り付けられ、前記被取付部及び取付部は前記蓋体に対し前記ケース本体を上下逆に取付可能なるように対称に設けられている電子機器用ケースのヒンジ構造において、前記被取付部と取付部とはヒンジ部材を介して取り付けられる構成とされ、前記ヒンジ部材が、前記被取付部に取り付けられる取付基部と、この取付基部の一端部より直交する方向に延びる支持部とを有し、この支持部が、取付基部に連接され長孔を有する矩形板形状の本体部と、この本体部に連接され半円板形状の先端部とで構成され、前記本体部の長孔にスライド可能に挿通される係合ピン部が前記取付部に形成され、前記係合ピン部は、前記長孔内において、蓋体の外周縁部が前記本体部に接触して蓋体の開放が規制される位置と、蓋体の外周縁部が前記先端部の外周縁に沿って移動可能となり蓋体の開放を許容する位置とを選択的に取りうることを特徴とする。
【０００８】
このように構成すれば、ケース本体と蓋体との固定を解除して、そのままの状態で蓋体を開こうとしても、蓋体の外周縁部がヒンジ部材の矩形板状の本体部に接触して、蓋体の開放動作（回転動作）が規制される。よって、ケース本体と蓋体との固定を解除しただけでは、蓋体が不用意に全開状態に開いてしまうことがない。すなわち、このとき蓋体の係合ピン部が、本体部（ヒンジ部材の支持部）の長孔内において、蓋体の外周縁部が前記本体部に接触して蓋体の開放が規制される位置にある。
【０００９】
そして、蓋体を開放する際に、係合ピン部を前記長孔内において移動させて、蓋体の外周縁部が前記先端部の外周縁に沿って移動可能となり蓋体の開放を許容する位置となるように蓋体をヒンジ部材に対しして相対移動（スライド移動）させれば、前記係合ピン部を回転軸として、蓋体を開放することができる。このとき、係合ピン部は、前記長孔内において、蓋体の回転軸となり蓋体の開放を許容する位置にあり、蓋体の周縁部は先端部の半円板形状の外周縁に沿って移動することになる。
【００１０】
請求項２に記載のように、前記ケース本体の被取付部には長孔が形成されると共に、外方に突出する係止部が先端に形成され、前記ケース本体の被取付部のうち上側に位置する被取付部に前記長孔を通じて締結部材にてメッセンジャーワイヤ取付具が傾斜可能に取り付けられ、このメッセンジャーワイヤ取付具の先端係止部と被取付部の係止部とによってそれらの間にメッセンジャーワイヤを係止可能である構成とすることができる。
【００１１】
このように構成すれば、上側に位置する被取付部（ヒンジ部材は取り付けられていない）を利用してメッセンジャーワイヤ取付金具を取り付けることができるので、被取付部をヒンジ部材の取付けとメッセンジャーワイヤ取付金具の取付けとに兼用することができ、コストダウンを図る上で有利である。また、メッセンジャーワイヤ取付金具を長孔を通じて傾斜可能に取り付けるので、メッセンジャーワイヤの径などに応じて、メッセンジャーワイヤ取付金具の傾きを変更することができる。
【００１２】
請求項３に記載のように、前記ケース本体の被取付部のうち上側に位置する被取付部にメッセンジャーワイヤ取付具が設けられ、前記メッセンジャーワイヤ取付具は、前記被取付部に設けられる断面Ｌ字形状の第１の部材と、この第１の部材の水平部に締結部材にて取付部が取り付けられ前記第１の部材との間にメッセンジャーワイヤを挟んで固定する第２の部材とを有し、この第２の部材は、さらに、前記取付部の一側に前記第１の部材の端縁に引っ掛かって係止される係止部と、取付部の他側に連接され前記第１の部材との間にメッセンジャーワイヤを挟む挟持部とを有する構成とすることができる。
【００１３】
このように構成すれば、上側に位置する被取付部（ヒンジ部材は取り付けられていない）を利用してメッセンジャーワイヤ取付金具を取り付けることができる。また、メッセンジャーワイヤ取付金具の第２の部材の傾き（第１の部材と第２の部材との間隔）を、メッセンジャーワイヤの径などに応じて変更することができる。
【００１４】
【発明の実施の形態】
以下、この発明の実施の形態を図面に沿って説明する。
【００１５】
図１は本発明に係るＣＡＴＶアンプ用ダイカストケースがメッセンジャーワイヤに取り付けられた状態を示す斜視図、図２〜図４は同ダイカストケースの正面図、底面図及び左側面図である。
【００１６】
本発明に係るＣＡＴＶアンプ用ダイカストケース１（電子機器用ケース）は、前面が開口された箱状のケース本体４と、その前面を開閉可能に覆う蓋体５とを備える。そして、現場により設備の入力側および出力側が異なる場合があるので、ケース本体４に対し蓋体５が上開き可能なるように、かつ蓋体５に対しケース本体４を上下逆に取付可能なるように取り付けられている。また、ケース本体４の左右外側面部に入力接栓２又は出力接栓３がそれぞれ設けられている。なお、ケース本体４は、例えばＣＡＴＶ用増幅ユニットが収容され、入力接栓２から供給されるＣＡＴＶ信号を増幅し、出力接栓３から後段の機器へ上記ＣＡＴＶ信号を伝送するものである。
【００１７】
ケース本体４の上下左右両側部の４個所には、被取付部１１Ａ，１１Ｂ，１１Ｃ，１１Ｄが形成され、上側に位置する２つの被取付部１１Ａ，１１Ｂにはメッセンジャーワイヤ取付金具２１がボルト部材２２（締結部材）にて傾斜可能に取り付けられている。そして、後述するように、ＣＡＴＶアンプ用ダイカストケース１は、被取付部１１Ａ，１１Ｂとメッセンジャーワイヤ取付金具２１との間でメッセンジャーワイヤＳを係止することで、メッセンジャーワイヤＳに吊り下げ状態で取り付けられる。
【００１８】
その被取付部１１Ａ〜１１Ｄの中央側には、図２〜図４に詳細を示すように、ケース深さ方向の貫通孔を有する被固定部１２Ａ〜１２Ｄが設けられている。なお、本例では被取付部１１Ａ〜１１Ｄと被固定部１２Ａ〜１２Ｄとが連接されているが、そのように連接されている必要は必ずしもなく、それらが離れている構成でもよい。
【００１９】
蓋体５には、被固定部１２Ａ〜１２Ｄに対応して固定部１３Ａ〜１３Ｄ（取付部）が設けられ、その固定部１３Ａ〜１３Ｄが、蓋体深さ方向の貫通孔（被固定部１２Ａ〜１２Ｄの貫通孔に対応する）を有する構成とされている。この固定部１３Ａ〜１３Ｄは、外方に突出する係合ピン部１３ａ〜１３ｄを有する。
【００２０】
ケース本体４の被固定部１２Ａ〜１２Ｄ及び蓋体５の固定部１３Ａ〜１３Ｄの両貫通孔に対しボルト部材１４が挿通され、そのボルト部材１４にワッシャ及びナットを適用することにより、ケース本体４に蓋体５を閉塞状態で固定するようになっている。
【００２１】
ケース本体４の、下側に位置する被取付部１２には、断面Ｌ字形状のヒンジ部材例えばヒンジ金具１５を介して、取付部としても機能する蓋体５の固定部１３が連結され、ケース本体４に対し蓋体５が、上開き可能とされている。
【００２２】
前記ヒンジ金具１５は、図５に示すように、被取付部１１Ａ〜１１Ｄにボルト部材１７にて取り付けられる取付基部１５ａと、この取付基部１５ａの一端部より直交する方向に延びる支持部１５ｂとを有する。そして、この支持部１５ｂは、取付基部１５ａに基端部が連接され長孔１５ｃを有する本体部１５ｂ−１と、この本体部１５ｂ−１の先端側に連接される半円板形状の先端部１５ｂ−２とで構成される。
【００２３】
図１〜図４に示すものでは、取付基部１５ａが被取付部１１Ｃ，１１Ｄに取付固定され、その状態で支持部１５ｂの長孔１５ｃに係合ピン部１３ａがスライド移動可能に挿通され、これにより、被取付部１１Ｃ，１１Ｄに対しヒンジ金具１５を介して蓋体５が上開き可能なるように連結されている。そして、係合ピン部１３ａは、長孔１５ｃ内において、蓋体５の外周縁部５ａが本体部１５ｂ−１に接触して蓋体５の開放が規制される位置（図１０（ａ）（ｂ）参照）と、蓋体５の外周縁部が前記先端部１５ｂ−２の外周縁に沿って移動可能となり蓋体５の開放を許容する位置（図１０（ｃ）（ｄ）参照）とを選択的に取りうる。なお、蓋体５の開放を許容する位置では、係合ピン部１３ａが蓋体５の（開放時の）回転軸となる。
【００２４】
蓋体５の、下側（ヒンジ金具１５が設けられている側）に位置する側面部には、内部の正常作動を表示するＬＥＤ１６が設けられている。
【００２５】
前記ケース本体４の被取付部１１Ａ〜１１Ｄのうち上側に位置する被取付部１１Ａ，１１Ｂには、メッセンジャーワイヤ取付金具２１が設けられている。
【００２６】
被取付部１１Ａ〜１１Ｄには、取付状態で上下方向となる長孔１１ａが形成されると共に、先端に外方（メッセンジャーワイヤ取付金具２１側）に突出する鍔状の係止部１１ｂ（図４、図６及び図７参照）が形成されている。図１〜図４に示すものでは、長孔１１ａを通じてボルト部材２２にてメッセンジャーワイヤ取付具２１が被取付部１１Ａ，１１Ｂに対し傾斜可能に取り付けられている。なお、長孔１１ａの外側の孔壁面は傾斜面となっており、ボルト部材２２を傾斜させてメッセンジャーワイヤ取付具２１を無理なく上開きに傾斜させることができるようにするように構成されている。
【００２７】
メッセンジャーワイヤ取付金具２１は、被取付部１１Ａ，１１Ｂにボルト部材２２を介して取り付けられる本体部２１ａと、この本体部２１ａの上端左右において被取付部１１Ａ，１１Ｂ側に突出する２つの爪状の係止部２１ｂとを有する。メッセンジャーワイヤＳの太さ（径）に合わせてメッセンジャーワイヤ取付金具２１の取付角度（傾斜角度）がボルト部材２２の軸線方向によって調整され、図６及び図７に示すように、２つの係止部２１ｂと係止部１１ｂ（被取付部１１Ａ，１１Ｂ）の間にメッセンジャーワイヤＳを係止し、ダイカストケース１がメッセンジャーワイヤＳに吊り下げられる。
【００２８】
ケース本体４の被取付部１１Ａ〜１１Ｄ及び被固定部１２Ａ〜１２Ｄは上下対称に形成され、被固定部１２Ａ〜１２Ｄに対応して蓋体５に固定部１３Ａ〜１３Ｄが形成されているので、図８及び図９に示すように、蓋体５に対しケース本体４を上下逆に反転させることができる。
【００２９】
蓋体５に対しケース本体４を上下逆に反転させる際には、まず、ボルト部材１７を被固定部１２Ａ〜１２Ｄから取り外し、さらにヒンジ金具１５やメッセンジャーワイヤ取付金具２１を被取付部１１Ａ〜１１Ｄから取り外す。それから、ケース本体４の上下を逆にし、ケース本体４の被固定部１２Ａ〜１２Ｄと蓋体５の固定部１３Ａ〜１３Ｄとが対応する位置で、ボルト部材１７を取り付ける。そのボルト部材１７の取付け後、上側になった被取付部１１Ｃ，１１Ｄににメッセンジャーワイヤ取付金具２１を、下側になった被取付部１１Ａ，１１Ｂにヒンジ金具１５をそれぞれ取り付ける。これにより、入力側（入力接栓２）と出力側（出力接栓３）とを左右逆にすることが可能となる。この場合、蓋体５を反転しないので、反転の前後において、入力側と出力側とが左右逆になるだけで、蓋体５の開閉については変更がなく（上下逆にはならない、すなわち下開きとならない）、また、内部の正常作動を表示するＬＥＤ１６は下側に位置するままの状態が維持される。
【００３０】
また、蓋体５を開放する際には、図１０（ａ）〜（ｄ）に示すようにして行われる。
【００３１】
まず、図１０（ａ）に示すように、被固定部１２Ａ〜１２Ｄと固定部１３Ａ〜１３Ｄを連結している上下左右４ヶ所のボルト部材１４を緩め、それらの固定を解除する。
【００３２】
この状態では、図１０（ｂ）に示すように、蓋体５をケース本体４に固定する拘束力がなくなるので、蓋体５は所定角度θだけ開放される。この場合、ヒンジ金具１５の本体部１５ｂ−１の外側縁に蓋体５の外周縁部５ａが接触することで、前記所定角度θを超えて蓋体５が開放されるのが規制される（このとき、係合ピン部１３ａは、長孔１５ｃ内において、蓋体５の開放が規制される位置にある）。よって、蓋体５を開放する際に、不用意に蓋体５が開放（全開）されてしまうことがなくなる。不用意に全開しようとすると、高所での作業では大変危険であるからである。
【００３３】
そして、蓋体５をさらに開放（全開）する場合には、図１０（ｃ）に示すように、ヒンジ金具１５の長孔１５ｃに沿って係合ピン部１３ａを、先端部１５ｂ−２側に移動させる。長孔１５ｃの端部に係合ピン部１３ａが達すると（このとき、係合ピン部１３ａが蓋体５の回転軸となり蓋体５の開放を許容する位置にある）、先端部１５ｂの円弧状の外周縁に沿って蓋体５の外周縁部５ａが移動可能となる。つまり、係合ピン部１３ａを回転軸として、図１０（ｄ）に示すように、蓋体５を、さらに開放することができることになる。ここで、係合ピン部１３ａが長孔１５ｃの端部に達したときには（図１０（ｃ）（ｄ）参照）、係合ピン部１３ａは、先端部１５ｂの外周縁が形成する円弧のほぼ中心に位置する。
【００３４】
本発明は、前述した実施の形態に限定されず、次のように構成することも可能である。
【００３５】
（ｉ）前記実施の形態においては、メッセンジャーワイヤ取付金具２１は、１つの部材で構成しているが、複数の部材で構成することも可能である。例えば図１１及び図１２に示すように、メッセンジャーワイヤ取付具３１を、被取付部１１Ａ，１１Ｂ（又は１１Ｃ，１１Ｄ）にボルト部材２２にて取り付けられる断面Ｌ字形状の第１の部材３２と、この第１の部材３２にボルト部材３３を介して取り付けられ第１の部材３２との間にメッセンジャーワイヤＳを挟持する第２の部材３４とを有する構成とすることも可能である。
【００３６】
この例の場合には、第１の部材３２は、被取付部１１Ａ，１１Ｂ（又は１１Ｃ，１１Ｄ）にボルト部材２２にて取り付けられる鉛直部３２ａと、この鉛直部３２ａの上縁よりそれに直交する方向に延びる水平部３２ｂとを有する。一方、第２の部材３４は、第１の部材３２の水平部３２ｂにボルト部材２２にて取り付けられる取付基部３４ａと、取付基部３４ａの一側に屈曲部３４ｄを介して連接され第１の部材３２（水平部３２ｂ）の端縁に引っ掛かって係止される係止部３４ｂと、取付基部３２ａの他側に連接され水平部３２ｂとの間でボルト部材３３の締付けによりメッセンジャーワイヤＳを挟持する押圧部３４ｃとを有する。この場合には、前述した実施の形態とは異なり、ボルト部材２２が傾斜する必要はない。
【００３７】
（ｉｉ）前記実施の形態においては、前記ケース本体４の上下左右両側に被取付部１１Ａ〜１１Ｄを形成しているが、ダイカストケース１’が小型の場合には、例えば図１３に示すように、被取付部１１Ｅ，１１Ｆをケース本体４’の上下中央部にのみ設け、その両側に被固定部（１２Ａ’〜１２Ｃ’のみ図示）を設ける構成とすることも可能である。蓋体５’には被固定部に対応して固定部（１３Ａ’〜１３Ｃ’のみ図示）が設けられている。
【００３８】
この場合、ヒンジ金具４１は、図１４及び図１５に示すように構成される。すなわち、取付基部４１ａの両端部に支持部４１ｂ，４１ｃが連接される。各支持部４１ｂ，４１ｃは、取付基部４１ａに連接され長孔４１ｂ−３，４１ｃ−３を有する本体部４１ｂ−１，４１ｃ−１と、この本体部４１ｂ−１，４１ｃ−１の先端側に連接される半円板形状の先端部４１ｂ−２，４１ｃ−２とで構成される。この長孔４１ｂ−３，４１ｃ−３に、蓋体５’よりの突出片５ｂ，５ｃの係合ピン部５ｄ，５ｅがスライド可能に挿入される。蓋体５’の開放動作は前述した実施の形態と同一である。
（ｉｉｉ）ＣＡＴＶアンプ用のダイカストケースに限らず、電柱と電柱との間に設けたい電子機器（例えば無線関係のユニット）を収納する電子機器用ケースにも適用することができる。
【００３９】
【発明の効果】
この発明は、以上に説明したように実施され、特定形状のヒンジ部材を用いることで、簡単な構造でかつ安価に、ケース本体に対する蓋体の固定を解除したときに、蓋体が不用意に開放されるのを防止できる。
【図面の簡単な説明】
【図１】本発明に係るＣＡＴＶアンプ用ダイカストケースがメッセンジャーワイヤに取り付けられた状態を示す斜視図である。
【図２】同ダイカストケースの正面図である。
【図３】同ダイカストケースの底面図である。
【図４】同ダイカストケースの左側面図である。
【図５】ヒンジ金具の斜視図である。
【図６】メッセンジャーワイヤ取付金具の実施例を示す図である。
【図７】メッセンジャーワイヤ取付金具の実施例を示す図である。
【図８】同ダイカストケースにおいて、蓋体に対しケース本体を上下逆に取付ける説明図である。
【図９】同ダイカストケースにおいて、蓋体に対しケース本体を上下逆に取付ける説明図である。
【図１０】（ａ）〜（ｄ）はそれぞれ蓋体の開放動作の説明図である。
【図１１】メッセンジャーワイヤ取付金具の他の実施例を示す図である。
【図１２】メッセンジャーワイヤ取付金具の他の実施例を示す図である。
【図１３】他の実施の形態を示す図１と同様の図である。
【図１４】図１３のＡ部の詳細を示す図である。
【図１５】図１４のＢ方向矢視図である。
【符号の説明】
１，１’    ＣＡＴＶアンプ用ダイカストケース（電子機器用ケース）
２    入力接栓
３    出力接栓
４，４’    ケース本体
５    蓋体
５ａ    外周縁部
１１Ａ〜１１Ｆ    被取付部
１１ａ    長孔
１１ｂ    係止部
１２Ａ〜１２Ｄ，１２Ａ’〜１２Ｃ’    被固定部
１３Ａ〜１３Ｄ，１３Ａ’〜１３Ｃ’    固定部（取付部）
１３ａ〜１３ｄ    係合ピン部
１４    ボルト部材
１５，４１    ヒンジ金具（ヒンジ部材）
１５ａ，４１ａ    取付基部
１５ｂ，４１ｂ，４１ｃ    支持部
１５ｂ−１，４１ｂ−１，４１ｃ−１    本体部
１５ｂ−２，４１ｂ−２，４１ｃ−２    先端部
１５ｃ，４１ｂ−３，４１ｃ−３    長孔
１７    ボルト部材
２１    メッセンジャーワイヤ取付金具
２１ａ    本体部
２１ｂ    係止部
２２    ボルト部材（締結部材）
３１    メッセンジャーワイヤ取付金具
３２    第１の部材
３３    ボルト部材
３４    第２の部材
Ｓ    メッセンジャーワイヤ
【図１】
2005012066.tif 000003
【図２】
2005012066.tif 000004
【図３】
2005012066.tif 000005
【図４】
2005012066.tif 000006
【図５】
2005012066.tif 000007
【図６】
2005012066.tif 000008
【図７】
2005012066.tif 000009
【図８】
2005012066.tif 000010
【図９】
2005012066.tif 000011
【図１０】
2005012066.tif 000012
【図１１】
2005012066.tif 000013
【図１２】
2005012066.tif 000014
【図１３】
2005012066.tif 000015
【図１４】
2005012066.tif 000016
【図１５】
2005012066.tif 000017